(57)【要約】【課題】より簡単な構成により、確実に電磁妨害を抑制する。【解決手段】表示すべき正転信号から位相を反転した反転信号を生成するインバータ１３，１３，‥‥を有した信号処理回路１１と、この信号処理回路１１が出力する、正転信号を伝送する正転信号ライン及び反転信号を伝送する反転信号ラインを近設配置した伝送路１４と、この伝送路１４を介して送られてくる正転信号及び反転信号を入力する液晶表示部１５を備え、正転信号ラインで発生する電磁波と反転信号ラインで発生する電磁波とを伝送路１４の位置する空間中で相殺し、伝送路１４の近傍に配置される被妨害部１６への電磁妨害を防止する。【選択図】    図１
2004303980.tif 000002
【特許請求の範囲】
【請求項１】
出力すべき正転信号から位相を反転した反転信号を生成する生成手段を有した第１の回路と、
この第１の回路が出力する、正転信号を伝送する正転信号ライン及び上記反転信号を伝送する反転信号ラインを近設配置した伝送路と、
この伝送路を介して送られてくる正転信号及び反転信号を入力する第２の回路と
を具備し、上記正転信号ラインで発生する電磁波と上記反転信号ラインで発生する電磁波とを上記伝送路の位置する空間中で相殺し、上記伝送路の近傍に配置される被妨害部への電磁妨害を防止することを特徴とする電磁シールド装置。
【請求項２】
上記第２の回路内で、上記反転信号ラインの終端を、上記正転信号ラインの終端に接続される負荷と略等価となる負荷に接続することを特徴とする請求項１記載の電磁シールド装置。
【請求項３】
上記第２の回路内で、上記反転信号ラインの終端を開放することを特徴とする請求項１記載の電磁シールド装置。
【請求項４】
上記第１の回路が有する生成手段は、出力すべき複数の信号の合計に対応して１つの位相を反転した信号を生成し、
上記伝送路は、複数の正転信号ラインに対応して１本の反転信号ラインを近設配置する
ことを特徴とする請求項１記載の電磁シールド装置。
【請求項５】
上記伝送路は、絶縁材を介在して正転信号ライン及び反転信号ラインを対向配置することを特徴とする請求項１記載の電磁シールド装置。
【請求項６】
上記伝送路の正転信号ライン及び反転信号ラインの少なくとも一方のラインは、他方のラインに沿って屈曲形成したジグザグ状のラインパターンを有することを特徴とする請求項５記載の電磁シールド装置。
【請求項７】
上記第２の回路は、上記伝送路の正転信号ライン及び反転信号ラインを介して入力した信号双方に基づいた出力動作を実行することを特徴とする請求項１記載の電磁シールド装置。
【請求項８】
上記第１の回路は、液晶表示パネル駆動であり、
上記第２の回路は、１つの表示画素を２つのセグメントに分割して構成した液晶表示パネルであり、
上記正転信号ライン及びこれに対応した反転信号ラインを介して入力した信号双方に基づいて１つの表示画素を構成する２つのセグメントを駆動表示する
ことを特徴とする請求項７記載の電磁シールド装置。
【発明の詳細な説明】
【０００１】
【発明の属する技術分野】
本発明は、２つの回路間を接続する伝送路上の信号ラインで発生する電磁波により他の回路等に悪影響を及ぼすのを抑制する電磁シールド装置に関する。
【０００２】
【従来の技術】
例えば液晶表示パネルに駆動信号を供給する伝送の過程で電磁妨害を発生し、近傍の回路等に悪影響を及ぼすことが知られている。
【０００３】
従来、そのような電磁妨害の対策として、必要な箇所にシールド板を配する技術（例えば、特許文献１参照。）、電磁妨害の影響を受け易い部品の配置を発生部位から遠ざける技術、駆動信号の供給配線パターンを設計段階で変更する技術、フィルタで妨害成分を除去する技術等が用いられてきたが、特に低い周波数においては空間を伝搬する妨害成分を問題の生じないレベルに除去することは非常に困難であった。
【０００４】
また、電磁妨害の信号成分を検出し、その信号成分と逆相となる成分を機器内で作成して、電磁妨害を相殺させる技術も研究されているが、精度の向上のためには複雑な回路構成となり、且つ大量の遅延素子が必要となるなど、実用に際しては回路規模が非常に大きなものとなるので、小型の電子機器に対応できるものではない。
【０００５】
【特許文献１】
特開平１０−１５３７６６号公報
【０００６】
【発明が解決しようとする課題】
例えば、正確な時刻情報が重畳された標準電波を受信することにより、時刻の補正を行なう電波腕時計では、時刻等を表示する表示部を駆動する信号ラインに多くの信号成分がのっており、この部分からの放射妨害が多く発生し、そのために上記標準電波を受信するためのアンテナが影響を受けて、弱電解などで正確な受信動作ができなくなるといった不具合が発生することが多い。
【０００７】
そのため、標準電波の受信時には一時的に表示を停止するものも検討されているが、製品としては不完全であり、確実な電磁妨害の除去が望まれている。
【０００８】
しかしながら、上記信号ライン部をシールドするにしても、容量（実装面積）が制限される腕時計にあってシールド部材に充分な厚さを確保することは困難であり、特に電磁妨害の周波数が低くなればそれだけシールド部材にも厚みが必要となるので、実用上、そのような厚さのシールド部材を用いることは不可能であった。
【０００９】
本発明は上記のような実情に鑑みてなされたもので、その目的とするところは、より簡単な構成により、確実に電磁妨害を抑制することが可能な電磁シールド装置を提供することにある。
【００１０】
【課題を解決するための手段】
請求項１記載の発明は、出力すべき正転信号から位相を反転した反転信号を生成する生成手段を有した第１の回路と、この第１の回路が出力する、正転信号を伝送する正転信号ライン及び上記反転信号を伝送する反転信号ラインを近設配置した伝送路と、この伝送路を介して送られてくる正転信号及び反転信号を入力する第２の回路とを具備し、上記正転信号ラインで発生する電磁波と上記反転信号ラインで発生する電磁波とを上記伝送路の位置する空間中で相殺し、上記伝送路の近傍に配置される被妨害部への電磁妨害を防止することを特徴とする。
【００１１】
このような構成とすれば、インバータ等による単純な回路及び信号ラインを付加するだけで、各信号ラインが伝送路の位置する空間中で発生する電磁波を相殺し、確実に電磁妨害を抑制することが可能となる。
【００１２】
請求項２記載の発明は、上記請求項１記載の発明において、上記第２の回路内で、上記反転信号ラインの終端を、上記正転信号ラインの終端に接続される負荷と略等価となる負荷に接続することを特徴とする。
【００１３】
このような構成とすれば、上記請求項１記載の発明の作用に加えて、反転信号ラインでの信号伝達時の挙動を正転信号ラインでの情報伝達時の挙動と正確に反転したものとし、２つのラインで発生する電磁波をより確実に相殺させて、電磁妨害を充分なレベルまで低減させる。
【００１４】
請求項３記載の発明は、上記請求項１記載の発明において、上記第２の回路内で、上記反転信号ラインの終端を開放することを特徴とする。
【００１５】
このような構成とすれば、上記請求項１記載の発明の作用に加えて、第２の回路内で正転信号ライン終端に接続される負荷が充分軽いものである場合に、回路構成をより簡略化しながら、電磁妨害をある程度まで抑制することができる。
【００１６】
請求項４記載の発明は、上記請求項１記載の発明において、上記第１の回路が有する生成手段は、出力すべき複数の信号の合計に対応して１つの位相を反転した信号を生成し、上記伝送路は、複数の正転信号ラインに対応して１本の反転信号ラインを近設配置することを特徴とする。
【００１７】
このような構成とすれば、上記請求項１記載の発明の作用に加えて、使用できる信号ラインや第１及び第２の回路の端子の数に制限がある場合にも同等の効果を得ることができる。
【００１８】
請求項５記載の発明は、上記請求項１記載の発明において、上記伝送路は、絶縁材を介在して正転信号ライン及び反転信号ラインを対向配置することを特徴とする。
【００１９】
このような構成とすれば、上記請求項１記載の発明の作用に加えて、例えばフレキシブル回路基板や液晶ガラス面等の表裏双方を用いて伝送路を形成できるため、シールドの困難な箇所やシールドの接地がうまくとれない箇所にも容易に適用することが可能であり、周波数の低い妨害成分にも対応できる。
【００２０】
請求項６記載の発明は、上記請求項５記載の発明において、上記伝送路の正転信号ライン及び反転信号ラインの少なくとも一方のラインは、他方のラインに沿って屈曲形成したジグザグ状のラインパターンを有することを特徴とする。
【００２１】
このような構成とすれば、上記請求項５記載の発明の作用に加えて、単に双方のラインを直線状に平行に敷設する場合に比して、発生する磁束成分をより効果的に除去することができる。
【００２２】
請求項７記載の発明は、上記請求項１記載の発明において、上記第２の回路は、上記伝送路の正転信号ライン及び反転信号ラインを介して入力した信号双方に基づいた出力動作を実行することを特徴とする。
【００２３】
このような構成とすれば、上記請求項１記載の発明の作用に加えて、生成した反転信号を有効に活用できるだけでなく、第２の回路内で双方のラインに係る負荷をほぼ等しくすることができるため、双方のラインで発生する電磁波をより確実に相殺させて、電磁妨害を充分なレベルまで低減させる。
【００２４】
請求項８記載の発明は、上記請求項７記載の発明において、上記第１の回路は、液晶表示パネル駆動であり、上記第２の回路は、１つの表示画素を２つのセグメントに分割して構成した液晶表示パネルであり、上記正転信号ライン及びこれに対応した反転信号ラインを介して入力した信号双方に基づいて１つの表示画素を構成する２つのセグメントを駆動表示することを特徴とする。
【００２５】
このような構成とすれば、請求項７記載の発明の作用に加えて、見かけ上の表示精細度を上げることができ、表示品質を向上できる。
【００２６】
【発明の実施の形態】
（第１の実施の形態）
以下本発明を液晶表示装置に適用した場合を第１の実施の形態として図面を参照して説明する。
【００２７】
図１は、本実施の形態に係る基本的な構成の概念を示すものである。同図で、１１は表示その他の信号処理を行なう信号処理回路であり、この信号処理回路１１内に表示駆動信号を発生する表示ドライバ１２が設けられる。
【００２８】
この表示ドライバ１２内では、被駆動対象である液晶表示部１３に必要な駆動信号ａ，ｂ，‥‥をそのまま正転出力する一方で、各信号毎にインバータ１３，１３，‥‥により位相が反転した反転信号を生成して出力するもので、これらの正転信号及び反転信号は伝送路１４を介して液晶表示部１５へ出力される。
【００２９】
以下の文中及び図面では、例えば正転信号「ａ」をインバータ１３で位相反転した反転信号を「−ａ」として表現するものとする。
元となる信号「ａ」「−ａ」の位相関係を互いに逆相となるようにしたため、伝送路１４上の正転信号「ａ」の信号ラインから発生する電磁妨害成分Ｄ１と、反転信号「−ａ」の信号ラインから発生する電磁妨害成分Ｄ２は、波形が同一で且つ位相関係が互いに逆相となる。
【００３０】
したがって、伝送路１４の近傍に電磁妨害の影響を受けやすい被妨害部１６（例えばこの液晶表示装置が電波腕時計に採用されるものであればアンテナなど）が配設されていても、上記電磁妨害成分Ｄ１，Ｄ２は互いに相殺して被妨害部１６に対する影響は無効化される。
【００３１】
以上のことは、正転信号「ａ」と反転信号「−ａ」の各信号ラインに限らず、伝送路１４を構成する全ての信号ラインについても同様である。
【００３２】
結果として、伝送路１４の近傍に配設される被妨害部１６にとって、伝送路１４全体から発生する電磁妨害は互いに相殺してほぼ無効化されているので、なんら悪影響を受けることなく、所定の機能を実行することができる。
【００３３】
加えて、特に電磁妨害の低周波成分についても、その波長と比較して伝送路１４と被妨害部１６との距離が充分に小さいものと考えられるので、同様に被妨害部１６に対する影響を無効化できるものと予想できる。
【００３４】
次いで液晶表示部１５における伝送路１４終端の処理について説明する。
【００３５】
図２は、伝送路１４の正転信号ラインの終端を液晶表示部１５内の液晶パネル端子１５ａに接続する一方、反転信号ラインの終端をそれぞれ一端を接地したキャパシタンスＣの他端に接続した例を示すものである。
【００３６】
キャパシタンスＣの容量値は、液晶表示パネルの各画素（セグメント）に対応するものとすることで、反転信号ラインでの信号伝達時の挙動を正転信号ラインの信号伝達時の挙動を正確に逆相にしたものとできるので、電磁妨害についても互いに相殺して無効化できる。
【００３７】
図３は、液晶表示部１５がスタティック駆動方式のセグメント表示を行なうものであった場合の配線パターンを例示するものである。図３（Ａ）は液晶層を挟んで上の透明信号電極の配線パターンを、図３（Ｂ）は下の透明走査電極の配線パターンをそれぞれ示す。
【００３８】
ここでは上側の信号電極において、「８」の字を構成する７セグメントと小数点を示す１セグメント、合わせて８セグメントを正転信号ライン「ａ」〜「ｈ」で駆動すると共に、各正転信号ライン及び電極に沿うようにして対応する反転信号ライン「−ａ」〜「−ｈ」を配線し、その終端で上記図２で示したようにそれぞれキャパシタンスＣを各セグメントと等価の疑似負荷として接続している。
【００３９】
下側の走査電極は、スタティック駆動であるために上側の全セグメントに対応する１つのセグメントのみで構成し、正転信号ラインｉで駆動すると共に、この正転信号ライン「ｉ」及び電極に沿うようにして反転信号ライン「−ｉ」を配線し、その終端で上記図２で示したようにキャパシタンスＣを前期上側の全セグメントに対応する１つのセグメントと等価の疑似負荷として接続している。
【００４０】
図４は、液晶表示部１５がダイナミック駆動方式のセグメント表示を行なうものであった場合の配線パターンを例示するものである。図４（Ａ）は液晶層を挟んで上の透明信号電極の配線パターンを、図４（Ｂ）は下の透明走査電極の配線パターンをそれぞれ示す。
【００４１】
ここでは上側の信号電極において、「８」の字を構成する７セグメントと小数点を示す１セグメント、合わせて８セグメントを２セグメントずつ４つのグループに分割し、正転信号ライン「ａ」〜「ｄ」で駆動すると共に、各正転信号ライン及び電極に沿うようにして対応する反転信号ライン「−ａ」〜「−ｄ」を配線し、その終端で上記図２で示したようにそれぞれキャパシタンスＣを「ａ」〜「ｄ」の各正転信号ラインからみた容量と等価の疑似負荷として接続している。
【００４２】
下側の走査電極は、ダイナミック駆動であるために上側の全セグメントとは異なる分割パターンとなるように２つに分割し、正転信号ライン「ｅ」，「ｆ」で駆動すると共に、これら正転信号ライン「ｅ」，「ｆ」及び電極に沿うようにして反転信号ライン「−ｅ」，「−ｆ」を配線し、それぞれの終端で上記図２で示したようにキャパシタンスＣを「ｅ」，「ｆ」の各正転信号ラインからみた容量と等価の疑似負荷として接続している。
【００４３】
なお、上記図２乃至図４はいずれも、液晶表示部１５の液晶パネルを構成する各セグメントがキャパシタンス成分を持つ負荷であるものとして、疑似負荷となる等価のキャパシタンスＣを各反転信号ラインに接続したものであるが、正転信号ラインに接続される負荷がキャパシタンス成分ではない場合、あるいはキャパシタンス成分であっても抵抗負荷で置換して電磁妨害に適切な効果がある場合には、上記キャパシタンスＣに代えて抵抗を各反転信号ラインの終端に接続するものとしてもよい。
【００４４】
図５は、伝送路１４の正転信号ラインの終端を液晶表示部１５内の液晶パネル端子１５ａに接続する一方、反転信号ラインの終端をそれぞれ一端を接地した抵抗Ｒの他端に接続した例を示すものである。
【００４５】
抵抗Ｒのインピーダンス値は、液晶表示パネルの各画素（セグメント）に対応するものとすることで、反転信号ラインでの信号伝達時の挙動を正転信号ラインの信号伝達時の挙動を正確に逆相にしたものとでき、電磁妨害についても互いに相殺して無効化できる。
【００４６】
具体的な配線パターンについては上記図３及び図４で示した場合と同様であり、キャパシタンスＣを抵抗Ｒに置換することで、同等の効果を奏することができる。
【００４７】
さらに、液晶表示部１５側の負荷がきわめて小さく、無視できるレベルのものである場合には、上記キャパシタンスＣや抵抗Ｒに代えて、あえて各反転信号ラインの終端を開放するものとしてもよい。
【００４８】
図６は、伝送路１４の正転信号ラインの終端を液晶表示部１５内の液晶パネル端子１５ａに接続する一方、反転信号ラインの終端をそれぞれ開放した例を示すものである。
【００４９】
このように各反転信号ラインの終端を開放することにより、回路構成をより簡略化しながら、電磁妨害を抑制することができる。
【００５０】
次に上記伝送路１４の構成について具体的に説明する。
【００５１】
図７は、フレキシブル回路基板（ＦＰＣ）２１の上面に正転信号ライン２２を、同下面に反転信号ライン２３をプリント形成したものである。
【００５２】
このように、絶縁材であるフレキシブル回路基板２１を挟んで、正転信号ライン２２と反転信号ライン２３とを平行に対向配置することにより、双方のラインで発生する逆相の電磁波を正確に相殺させ、この伝送路１４の近傍に位置する被妨害部１６への影響を無効化できる。なお、伝送路１４は同一平面上に配置されるものとする。
【００５３】
加えて、柔軟性を有するフレキシブル回路基板２１を用いて伝送路１４を構成しているため、シールドの困難な箇所やシールドの接地がうまくとれない箇所にも容易に適用することが可能となる。
【００５４】
この場合、正転信号ライン２２と反転信号ライン２３とが共に直線状の配線パターンを有するものとしてもよいし、図８にその平面構成を示すように、例えば正転信号ライン２２′を直線状に形成する一方で、この正転信号ライン２２′に沿って（フレキシブル回路基板２１を挟んで）反転信号ライン２３′を屈曲形成したジグザグ状のパターンを有するものとして形成してもよい。
【００５５】
さらには、正転信号ライン２２と反転信号ライン２３の双方を共に屈曲形成したジグザグ状のパターンとしてもよい。
【００５６】
このようなジグザグ状のパターンを形成することで、単に双方の直線状のラインを平行に敷設する場合に比して、発生する磁束成分をより効果的に除去することができる。
【００５７】
なお、上記図７、図８ではフレキシブル回路基板２１に対して正転信号ライン２２と反転信号ライン２３とを敷設形成する場合について説明したが、これに限らず、例えば液晶表示パネルを構成するガラスに対して画素（セグメント）電極を構成する場合と同様に、ＩＴＯ膜等の透明導電膜を用いて正転信号ライン及び反転信号ラインを構成するものとしてもよい。
【００５８】
また、特に伝送路１４における信号ライン全体の数が制限される機器の場合には、正転信号ラインの数と反転信号ラインの数を１：１に対応させずともよい。
【００５９】
図９は、複数、例えば３本の正転信号ライン毎に１本の反転信号ラインを設けて、合計値から反転信号を生成するようにした例である。この場合に表示ドライバ１２″では、例えば最初の３本の正転信号ａ〜ｃをそのまま出力する一方で、これらの信号から合計回路１８により合計値「（ａ＋ｂ＋ｃ）」を算出し、その結果をインバータ１３で反転して反転信号ｇ（＝−（ａ＋ｂ＋ｃ））を生成し、上記正転信号ａ〜ｃのラインに沿えたラインで液晶表示部１５まで出力する。
【００６０】
正転信号ｄ〜ｆ以下に関しても同様であり、以下、正転信号ライン３本毎に１本の反転信号ラインを設け、正転信号の合計値から生成した反転信号を、対応する正転信号に沿って敷設された反転信号ラインを介して液晶表示部１５まで伝送させる。
【００６１】
このように、使用できる信号ラインの数や信号処理回路１１と液晶表示部１５の入出力端子の数に制限がある場合にも、単純な演算回路及び信号ラインを付加するだけで、各信号ラインが伝送路の位置する空間中で発生する電磁波を相殺し、確実に電磁妨害を抑制することが可能となる。
【００６２】
（第２の実施の形態）
以下本発明を電波腕時計に適用した場合を第２の実施の形態として図面を参照して説明する。
【００６３】
図１０は、その回路構成を示すもので、３１がすべての動作制御を司る制御部である。この制御部３１は、ＣＰＵ、このＣＰＵに計時動作及び正確な時刻情報をのせた標準電波を受信して上記計時動作により保持する現在時刻情報を補正する補正動作を実行させるためのプログラム等を固定記憶したＲＯＭ、ワークメモリ等として機能するＲＡＭなどからなるもので、この制御部３１に対してキー入力部３２、発振部３３、計時部３４、受信部３５、及び表示駆動部３６を接続する。
【００６４】
キー入力部３２は、例えば腕時計の筐体外周部に配置された数個のキーボタンスイッチでなり、その押圧操作に対応した操作信号を制御部３１に直接入力する。
【００６５】
発振部３３は、水晶振動子を駆動して例えば３２７６８［Ｈｚ］の基準クロックを発振する。計時部３４は、この発振部３３の発振に基づいて現在の時刻、すなわち年月日及び時分秒の計時を行ない、その時刻情報を更新しながら保持する。
【００６６】
受信部３５は、予め設定された毎日定時、例えば午前２時と、キー入力部３２のキー操作により随時時刻補正が指示された場合に、時計筐体内に組込んだアンテナ３７により正確な
時刻情報をのせた標準電波を受信し、該時刻情報を取出して制御部３１へ送出する。
【００６７】
表示駆動部３６は、制御部３１から与えられる表示データに基づいて液晶表示部３８の表示駆動用の正転信号及び反転信号を生成し、これらを液晶表示部３８の液晶表示パネル端子それぞれに供給して表示駆動する。
【００６８】
しかるに、液晶駆動部３６が上記図１における原理構成の信号処理回路１１に、液晶表示部３８が液晶表示部１５に相当する。
【００６９】
図１１は、上記液晶表示部３８がスタティック駆動方式のセグメント表示を行なうものであった場合の配線パターンの一部を例示するものである。図１１（Ａ）は液晶層を挟んで上の透明信号電極の配線パターンを、図１１（Ｂ）は下の透明走査電極の配線パターンをそれぞれ示す。
【００７０】
ここでは上側の信号電極において、「８」の字を構成する７セグメントと小数点を示す１セグメント、合わせて８セグメントをそれぞれ２分割して、図中に右上がりの粗なハッチングで示すセグメント部分を正転信号ライン「ａ」〜「ｈ」で駆動すると共に、図中に右下がりの密なハッチングで示すセグメント部分を反転信号ライン「−ａ」〜「−ｈ」で駆動する。
【００７１】
下側の走査電極は、スタティック駆動であるために上側の全セグメントを上記反転信号ライン「ａ」〜「ｈ」に対応するセグメント部分と反転信号ライン「−ａ」〜「−ｈ」に対応するセグメント部分に２分割した２つのセグメントで構成し、正転信号ライン「ｉ」及び反転信号ライン「−ｉ」で駆動する。
【００７２】
図１２は、液晶表示部３８がダイナミック駆動方式のセグメント表示を行なうものであった場合の配線パターンの一部を例示するものである。図１２（Ａ）は液晶層を挟んで上の透明信号電極の配線パターンを、図１２（Ｂ）は下の透明走査電極の配線パターンをそれぞれ示す。
【００７３】
図１２（Ａ）に示す上側の信号電極において、「８」の字を構成する７セグメントと小数点を示す１セグメント、合わせて８セグメントを２セグメントずつ４つのグループに分割し、且つ各セグメント毎にその軸方向に沿って２分し、図中に右上がりの粗なハッチングで示す正転信号で駆動するセグメントと、図中に右下がりの密なハッチングで示す反転信号で駆動するセグメントとに分割している。
【００７４】
したがって４つのセグメントグループを、正転信号ライン「ａ」〜「ｄ」及び反転信号ライン「−ａ」〜「−ｄ」で駆動する。
【００７５】
図１２（Ｂ）に示す下側の走査電極は、ダイナミック駆動であるために上側の全セグメントとは異なる分割パターンとなるように２つに分割し、且つ上記正転信号で駆動するセグメントと反転信号で駆動するセグメントに対応するようにさらに２つに分割するもので、正転信号ライン「ｅ」，「ｆ」及び反転信号ライン「−ｅ」，「−ｆ」で駆動する。
【００７６】
図１３は、正転信号で駆動する１セグメントと、そのセグメントに隣接し、反転信号で駆動する１セグメントを駆動する場合の駆動波形を例示するものである。ここでは、ダイナミック駆動のセグメント表示の基本的な駆動法である、１／３バイアス法の電圧平均化法の駆動波形を例示する。
【００７７】
図１３（１）に示すように正転信号ラインで駆動する走査電極の波形をＶｘ（ｘ＝ｅ，ｆ）とすると、図１３（２）に示すように対応する反転信号ラインで駆動する走査電極の波形は−Ｖｘとなり、完全に逆相となっていることがわかる。
【００７８】
これに対して、図１３（３）に示すように正転信号ラインで駆動する信号電極の波形をＶｙ（ｙ＝ａ〜ｄ）とすると、図１３（４）に示すように対応する反転信号ラインで駆動する信号電極の波形は−Ｖｙとなり、これも完全に逆相となっていることがわかる。
【００７９】
結果として、図１３（５）に示すように正転信号で駆動するセグメントでの波形は「Ｖｘ−Ｖｙ」となり、「半選択状態」「選択状態」「半選択状態」及び「非選択状態」を１つのサイクルとして表示駆動が行なわれる。
【００８０】
同様に、図１３（６）に示すように反転信号で駆動するセグメントでの波形は「−（Ｖｘ−Ｖｙ）」となり、同じく「半選択状態」「選択状態」「半選択状態」及び「非選択状態」を１つのサイクルとして表示駆動が行なわれると共に、上記正転信号で駆動されるセグメントの駆動波形と完全に逆相となっていることがわかる。
【００８１】
このように、液晶表示部３８で生成した反転信号を液晶表示部３８で有効に活用できるだけでなく、液晶表示部３８で双方のラインに係る負荷をほぼ等しくすることができる。
【００８２】
そのため、正転信号ラインと反転信号ラインの双方で発生する電磁波をより確実に相殺させて、アンテナ３７により時刻情報が重畳されている標準電波を受信する際の電磁妨害を充分なレベルまで低減させることができる。
【００８３】
なお、上記第１及び第２の実施の形態では、いずれもセグメント型の液晶表示部を駆動する場合について説明したが、ドットマトリックス型の液晶表示部を駆動する装置にも容易に適用可能となる。
【００８４】
さらに本発明は、液晶表示部とその駆動信号を出力する回路に限らず、プリンタやスピーカを有した放音部、ＬＥＤ等を用いたインジケータ部など、なんらかの出力回路とその出力回路に駆動信号を供給する信号処理回路にも同様にして適用することができるものとする。
【００８５】
その他、本発明は上記実施の形態に限らず、その要旨を逸脱しない範囲内で種々変形して実施することが可能であるものとする。
【００８６】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００８７】
【発明の効果】
請求項１記載の発明によれば、インバータ等による単純な回路及び信号ラインを付加するだけで、各信号ラインが伝送路の位置する空間中で発生する電磁波を相殺し、確実に電磁妨害を抑制することが可能となる。
【００８８】
請求項２記載の発明によれば、上記請求項１記載の発明の効果に加えて、反転信号ラインでの信号伝達時の挙動を正転信号ラインでの情報伝達時の挙動と正確に反転したものとし、２つのラインで発生する電磁波をより確実に相殺させて、電磁妨害を充分なレベルまで低減させる。
【００８９】
請求項３記載の発明によれば、上記請求項１記載の発明の効果に加えて、第２の回路内で正転信号ライン終端に接続される負荷が充分軽いものである場合に、回路構成をより簡略化しながら、電磁妨害をある程度まで抑制することができる。
【００９０】
請求項４記載の発明によれば、上記請求項１記載の発明の効果に加えて、使用できる信号ラインや第１及び第２の回路の端子の数に制限がある場合にも同等の効果を得ることができる。
【００９１】
請求項５記載の発明によれば、上記請求項１記載の発明の効果に加えて、例えばフレキシブル回路基板や液晶ガラス面等の表裏双方を用いて伝送路を形成できるため、シールドの困難な箇所やシールドの接地がうまくとれない箇所にも容易に適用することが可能であり、周波数の低い妨害成分にも対応できる。
【００９２】
請求項６記載の発明によれば、上記請求項５記載の発明の効果に加えて、単に双方のラインを直線状に平行に敷設する場合に比して、発生する磁束成分をより効果的に除去することができる。
【００９３】
請求項７記載の発明によれば、上記請求項１記載の発明の効果に加えて、生成した反転信号を有効に活用できるだけでなく、第２の回路内で双方のラインに係る負荷をほぼ等しくすることができるため、双方のラインで発生する電磁波をより確実に相殺させて、電磁妨害を充分なレベルまで低減させる。
【００９４】
請求項８記載の発明によれば、請求項７記載の発明の効果に加えて、見かけ上の表示精細度を上げることができ、表示品質を向上できる。
【図面の簡単な説明】
【図１】本発明の第１の実施の形態に係る基本的な構成の概念を示す図。
【図２】同実施の形態に係る反転信号ライン終端の負荷処理を例示する図。
【図３】図２の負荷処理をスタティック駆動方式のセグメント表示に適用した場合を例示する図。
【図４】図２の負荷処理をダイナミック駆動方式のセグメント表示に適用した場合を例示する図。
【図５】同実施の形態に係る反転信号ライン終端の他の負荷処理を例示する図。
【図６】同実施の形態に係る反転信号ライン終端の他の負荷処理を例示する図。
【図７】同実施の形態に係る伝送路の具体的な構成を例示する断面図。
【図８】同実施の形態に係る伝送路の具体的な他の構成を例示する図。
【図９】同実施の形態に係る基本的な構成の他の概念を示す図。
【図１０】本発明の第２の実施の形態に係る電波腕時計全体の回路構成を示すブロック図。
【図１１】図１０の液晶表示部をスタティック駆動方式のセグメント表示に適用した場合を例示する図。
【図１２】図１０の液晶表示部をダイナミック駆動方式のセグメント表示に適用した場合を例示する図。
【図１３】図１２の各セグメントを駆動する電圧平均化法の駆動波形を例示する図。
【符号の説明】
１１…信号処理回路、１２，１２″…表示ドライバ、１３…インバータ、１４…伝送路、１５…液晶表示部、１６…被妨害部、１７…平均化回路、１８…合計回路、２１…フレキシブル回路基板、２２，２２′…正転信号ライン、２３，２３′…反転信号ライン、３１…制御部、３２…キー入力部、３３…発振部、３４…計時部、３５…受信部、３６…表示駆動部、３７…アンテナ、３８…液晶表示部、Ｃ…キャパシタンス、Ｄ１，Ｄ２…電磁妨害成分、Ｒ…抵抗。
【図１】
2004303980.tif 000003
【図２】
2004303980.tif 000004
【図３】
2004303980.tif 000005
【図４】
2004303980.tif 000006
【図５】
2004303980.tif 000007
【図６】
2004303980.tif 000008
【図７】
2004303980.tif 000009
【図８】
2004303980.tif 000010
【図９】
2004303980.tif 000011
【図１０】
2004303980.tif 000012
【図１１】
2004303980.tif 000013
【図１２】
2004303980.tif 000014
【図１３】
2004303980.tif 000015